(57)【特許請求の範囲】
【請求項１】
本体にランプを備えた外部電気制御型の無電極ランプであって、
ランプ本体が、四辺以上の偶数の辺を有する本体として形成されたランプを備え、少なくともその二組の対辺に、少なくとも第１の導電体と第２の導電体とが設けられ、
その各導電体は、磁心を内蔵したランプ外部に設けられた電気制御系に電気的に接続され、
前記磁心に通電することで発生する磁界と、磁界を変化させることで発生する電力とにより、前記導電体が導通して、ランプを発光させる
ことを特徴とする外部電気制御型の無電極ランプ。
【請求項２】
ランプが、対向する第１のプレートと第２のプレートと、フレームとにより支持されることで、ランプに層間空間をもたせた
請求項１に記載の外部電気制御型の無電極ランプ。
【請求項３】
各導電体が、同じ第１のプレートの表面に設けられた
請求項２に記載の外部電気制御型の無電極ランプ。
【請求項４】
導電体の一方が第１のプレートの表面に設けられ、他方の導電体が第２のプレートの表面に設けられた
請求項２に記載の外部電気制御型の無電極ランプ。
【請求項５】
各導電体が、その両面でランプを巻回して設けられた
請求項１ないし４のいずれかに記載の外部電気制御型の無電極ランプ。
【請求項６】
各導電体が、第１のプレートと第２のプレートとの層間空間にそれぞれ設けられた
請求項２ないし４のいずれかに記載の外部電気制御型の無電極ランプ。
【請求項７】
各導電体が、ドット状配置に基づく線状または面状に形成された
請求項１ないし６のいずれかに記載の外部電気制御型の無電極ランプ。
【請求項８】
二つの導電体の間に間隙が形成された
請求項１ないし７のいずれかに記載の外部電気制御型の無電極ランプ。
【請求項９】
導電体が、ランプに貼設された
請求項１ないし８のいずれかに記載の外部電気制御型の無電極ランプ。
【請求項１０】
導電体が、ランプにスパッタリングで付設された
請求項１ないし８のいずれかに記載の外部電気制御型の無電極ランプ。
【発明の詳細な説明】
【技術分野】
【０００１】
本発明は、外部電気制御型の無電極ランプに関し、特に磁心に通電することで発生する磁界と、磁界を変化させて発生する電力とにより、導電体が導通して磁界を形成し、ランプを発光させるものに関する。
【背景技術】
【０００２】
照明器具は一般的に人々の生活において不可欠な日用品であり、人々により安定的でそして異なるニーズの照明を提供するために、蛍光灯、水銀灯および現代では電子式の省エネのランプ管などがあり、異なる性質の装置により、最良の照明効果を発揮している。
【０００３】
また、現在、業界においては更にいわゆる「無電極ランプ」が開発されており、これは電磁誘導の原理を利用するとともに、そして機構的には磁心を用いてランプ（以下におけるランプとは概ねランプ管、保護カバー、平板状ランプ、バルブなどの発光体または光源出力の媒体を含む）内部に電磁誘導を発生させるもので、電極を用いず外部の電気エネルギーをランプ内部の動作に必要なエネルギーに変換するため、「無電極ランプ」と呼ばれる。
【０００４】
このような無電極ランプにおいては、交流磁界が発生するものであり、変化する磁界に応じてランプ内に誘導電流が発生するので、低圧の水銀および不活性ガスの混合蒸気に放電が生じ、更に蛍光粉により可視光に変換される。このような無電極ランプ機構においては発熱が比較的低いので、寿命が長いことから、市場の主流となりつつある。
【０００５】
しかし、上記した従来技術の無電極ランプにおいては、機構的に磁心を用いてランプ内部に電磁誘導を発生させなければならず、このためにランプには磁心を収容するための収容空間を設ける必要があり、しかもランプの形状、サイズもかなりの制限を受け、軽量化、小型化の極限化の方向に発展することができない。
【発明の開示】
【発明が解決しようとする課題】
【０００６】
そこで、本発明は、ランプの形状やサイズに対する制限を低減し、軽量化や小型化でき、用途の広がる外部電気制御型の無電極ランプを提供することを課題とする。
【課題を解決するための手段】
【０００７】
上記課題を解決するために、本発明は、次の構成を備える。
本願出願人は、本願の優先権主張の根拠となる特許文献１を、２００５年１１月１０日に出願している。
【特許文献１】台湾特許出願０９４２１９４４４号「外部電気制御型の無電極ランプ」
【０００８】
これは、本体がランプを備え、当該ランプ本体には少なくとも第１の導電体と第２の導電体が設けられ、かつ各導電体はランプ外部に設けられた電気制御系に電気的に接続されており、当該電気制御系には磁心が内蔵されることによって、磁心に通電することで発生する磁界と、磁界を変化させて発生する電力とにより、導電体が導通して、ランプを発光させることを特徴とする。
【０００９】
その後、研究を進め、当該ランプ本体には第１の導電体と第２の導電体が設けられていることから、磁力線の分布において、主に２つが相対または同方向で分布しており、磁力線の発揮する配置において改善する余地が未だ相当あるということを発見した。
【００１０】
それにより、前記特許文献１を基礎とし、本体がランプを備え、当該ランプ本体には少なくとも第１の導電体と第２の導電体が設けられ、かつ各導電体はランプ外部に設けられた電気制御系に電気的に接続されている以外に、更に当該ランプを四辺以上の偶数辺の本体として形成するとともに、少なくとも二組の対辺に、導電体を設け、かつ各導電体は磁心を内蔵したランプ外部に設けられた電気制御系に電気的に接続されており、そして磁心に通電することで発生する磁界と、磁界を変化させて発生する電力とにより、導電体が導通して、ランプを発光させるようにした。
【００１１】
しかも、少なくとも二組の対辺に、導電体を設けているため、通電により発生する磁界は交差しており、そして交差していることから、網状の磁力線分布状態が発生し、通常の簡易な付加した形態とは異なり、「交差」により「相乗」効果を生み出すものである。
そして磁心を電気制御系に設けることで磁心をランプ外部に設けて、ランプの個別設計に影響することなく、磁心の収容空間の要因という干渉を受けることなく、これによりランプの形状、サイズにおいても軽量化、小型化の設計の余地が生まれ、しかもデザインおよび応用にもより大きな発揮する空間が生じる。
【発明の効果】
【００１２】
本発明によると、ランプの形状やサイズに対する制限を低減し、軽量化や小型化でき、用途の広がる外部電気制御型の無電極ランプを得られる。
更に、磁心を電気制御系に設けて、各導電体が間接的な磁界の変動により発生する電力でランプを発光させるので、電気エネルギーの供給が安定し発熱を低減し、機器の損傷を防ぎ、ランプの使用寿命を延長させられる。
また、電気エネルギーの供給が安定しつつも、平均的に出力して全体の効率を更に高められる。
電気制御系（磁心を含む）とランプとを個別に設計し、その他ランプへ拡張的に接続および分配可能であり、本考案に「一台に複数体」、「分離式」のランプとして発揮する効果をもたせることもできる。
【発明を実施するための最良の形態】
【００１３】
以下に、図面を基に本発明の実施形態を説明する。構成は、本発明の趣旨から逸脱しない範囲で、従来公知の技術を援用して適宜設計変更可能である。
図１は、外部電気制御型の無電極ランプの実施例を示す斜視図であって、本体は、ランプ（１）と、電気制御系（２）とを備える。
前記ランプ（１）は概ねランプ管、保護カバー、平板状ランプ、バルブなどの発光体または光源出力の媒体を含み、その他公知の回路と蛍光粉剤は本考案の標的に直接関係しないので、図は省略する。
【００１４】
前記ランプ（１）は、例えば六角形、八角形などの四辺以上の偶数辺の本体として形成するとともに、少なくとも二組の対辺に、導電体（１１）を設け、かつ各導電体（１１）は磁心（２２）を内蔵したランプ外部に設けられた電気制御系に電気的に接続されており、そして磁心（２２）に通電することで発生する磁界と、磁界を変化させて発生する電力とにより、導電体（１１）が導通して、ランプ（１）を発光させる。
前記ランプ（１）の具体的な実施例では、フラットランプの形態とすることが可能であり、前記ランプ（１）は第１のプレート（１３）および第２のプレート（１４）とを対向して合わせて、しかもフレーム（１２）により支持して、ランプ（１）に層間空間（Ｐ）を持たせている。このうち二つの導電体（１１）に間に間隙が形成されている。
【００１５】
前記電気制御系（２）は、磁心（２２）を電気的に接続する回路機構（２１）が内設されており、磁心（２２）に通電することで発生する磁界と磁界を変化させて発生する電力とにより、接点（１６）と回路（１５）と各導電体（１１）とが通電することで、ランプ（１）を発光させる。
【００１６】
前記導電体（１１）の配置について、本考案では複数の実施例がある。
図２の実施例は、導電体（１１）を同じく第２のプレート（１４）の表面に設けるものである。
【００１７】
図３の実施例は、各々の導電体（１１）の一方を第１のプレート（１３）の表面に設け、他方を第２のプレート（１４）の表面に設けるものである。
【００１８】
図４の実施例は、各導電体（１１）を第１のプレート（１３）と第２のプレート（１４）との層間空間（Ｐ）にそれぞれ設けるものである。
【００１９】
図５の実施例のように、各導電体（１１）をランプ（１）に巻回して設けることもできる。
また、前記各々の導電体（１１）の付着方式での実施に際しては、ドット状配置を基礎として、線状または面状に形成することができる。形成の形態であるが、前記導電体（１１）を選択的に貼付けるようにランプ（１）にスパッタリングで設けることも可能である。
【００２０】
図６の実施例は、電気制御系（２）はその他ランプ（１）へ拡張的に接続および分配可能であり、本考案に「一台に複数体」、「分離式」のランプとして発揮する効果を持たせることができる。
【００２１】
図７、図８の実施例は、ランプ（１）は四辺以上の偶数辺の本体として形成する基礎の上で、例えば六角形、八角形などのランプ（１Ａ）、（１Ｂ）の実施例を有することができ、そしてその導電体（１１Ａ）、（１１Ｂ）の配置も、例えば三組、四組など少なくとも二組の対称辺に施すことができる。
本考案は少なくとも二組の対辺に、導電体（１１）を設けているため、通電により発生する磁界は交差して、「相乗」効果を生み出す。
【産業上の利用可能性】
【００２２】
本発明による外部電気制御型の無電極ランプは、多様な物品運用において実用的であり、産業上利用価値が高い。
【図面の簡単な説明】
【００２３】
【図１】本発明による外部電気制御型の無電極ランプを示す斜視説明図
【図２】同、別実施例のランプを示す斜視説明図
【図３】同、別実施例のランプを示す斜視説明図
【図４】同、別実施例のランプを示す斜視説明図
【図５】同、別実施例のランプを示す斜視説明図
【図６】同、別実施例のランプを示す斜視説明図
【図７】同、別実施例のランプを示す斜視説明図
【図８】同、別実施例のランプを示す斜視説明図
【符号の説明】
【００２４】
（１）ランプ
（１Ａ）ランプ
（１Ｂ）ランプ
（１１）導電体
（１１Ａ）導電体
（１１Ｂ）導電体
（１２）フレーム
（１３）第１のプレート
（１４）第２のプレート
（１５）回路
（１６）接点
（２）電気制御系
（２１）回路機構
（２２）磁心
（Ｐ）層間空間
【図１】
0004431657.tif 000002
【図２】
0004431657.tif 000003
【図３】
0004431657.tif 000004
【図４】
0004431657.tif 000005
【図５】
0004431657.tif 000006
【図６】
0004431657.tif 000007
【図７】
0004431657.tif 000008
【図８】
0004431657.tif 000009